(57)【要約】【課題】薄い紙葉の積層束を容易に収納することができ、かつ使用時には一枚ずつ取り出すことができるようにした収納ケースを提供する。【解決手段】多数枚の紙葉３ａを積層してなる積層束３を収納する収納ケース１であって、２枚のシート状部材１３，１４の縁部どうしが接合された袋状の収納部１１を備えており、収納部１１の周縁の一部には取出口１５が開口しており、取出口１５の両側には前記２枚のシート状部材１３，１４を接合してなるストッパ部１８が設けられており、かつ一方のシート状部材１３には積層束３を挿入可能なスリット１７が設けられている。【選択図】  図１
2004244055.tif 000002
【特許請求の範囲】
【請求項１】
多数枚の紙葉を積層してなる積層束を収納する収納ケースであって、
該収納ケースは、第１のシート状部材と第２のシート状部材とを貼り合わせてなる略方形袋状の収納部を備えており、該収納部の周囲４辺のうちの１辺において、前記第１のシート状部材の縁部に凹状の切欠き部からなる取出口が設けられるとともに、該１辺の前記取出口を除く両端部には前記第１のシート状部材と第２のシート状部材とが接合されたストッパ部が設けられており、かつ前記第１のシート状部材および第２のシート状部材のいずれか一方に前記積層束を挿入可能なスリットが設けられていることを特徴とする収納ケース。
【請求項２】
前記スリットが前記第１のシート状部材に形成されており、前記第２のシート状部材は前記取出口の外側に向かう方向に、前記第１のシート状部材よりも延在して蓋部を形成するとともに、前記蓋部を前記取出口を覆うように折り返したときに、前記蓋部の先端部が前記スリットに差し込み可能に形成されていることを特徴とする請求項１記載の収納ケース。
【請求項３】
前記第１のシート状部材および第２のシート状部材がヒートシール可能な材料からなっており、前記収納部は前記第１のシート状部材と第２のシート状部材とをヒートシールにより貼り合わせて形成されており、かつ前記ストッパ部は前記第１のシート状部材と第２のシート状部材とをヒートシールにより接合して形成されていることを特徴とする請求項１または２のいずれか一項に記載の収納ケース。
【請求項４】
請求項１〜３のいずれか一項に記載の収納ケースの、前記収納部内に、多数枚の紙葉を積層してなる積層束を収納してなることを特徴とする収納製品。
【請求項５】
前記積層束が、略方形のガイド体に収容された状態で前記収納部に収納されており、前記ガイド体は、前記積層束を挟む第１のガイド片と第２のガイド片を備えており、該ガイド体の周囲４辺のうちの１辺において、前記第１のガイド片の縁部に凹状の切欠き部からなる取出口が設けられるとともに、該１辺の前記取出口を除く両端部には前記第１のガイド片と第２のガイド片とが接合されたストッパ部が設けられており、該ガイド体が前記収納部内に、該ガイド体の取出口と前記収納部の取出口とが重なるように収納されていることを特徴とする請求項４記載の収納製品。
【発明の詳細な説明】
【０００１】
【発明の属する技術分野】
本発明は、例えば脂取り紙等の非常に薄い紙葉を多数枚収納することができる収納ケース、および該収納ケースを用いた収納製品に関する。
【０００２】
【従来の技術及び発明が解決しようとする課題】
例えば、脂取り紙や眼鏡拭き紙のように、非常に薄い紙葉の製品形態としては、多数枚が一括的に収納されており、かつ使用時には一枚ずつ取り出すことができる形態が好ましい。
【０００３】
そこで、例えば箱入りティッシュペーパーのように各紙葉を一定形状に折り畳んで端部どうしが噛み合うように順次積み重ねて積層束を形成し、該積層束を袋状のケースに収納するとともに、該ケースには、最上の紙葉の一端が露出する取出口を設けた形態の製品が市販されている。
しかしながら、脂取り紙や眼鏡拭き紙等は非常に薄いうえに表面の滑性が高いので取り扱い難く、折り畳んだり、互い違いに挟み込みながら積層したりする作業が容易でないという問題があった。
【０００４】
また、従来の札入れ状のケースは、紙葉の積層束を開口部から挿入して収容させ、使用時には該開口部から取り出すので、紙葉を複雑に取り扱わずに済み、しわ等の発生は少ないが、ケースから一枚ずつ取り出そうしたときに複数枚が同時に引き出され易いという問題があった。
【０００５】
これに対して、下記特許文献１では、四角形の薄い箱形で、角または辺の部分に取出口を設けるとともに、該取出口には最上の一枚のみを滑らせて引き出すための指乗せ開口部を形成し、該指乗せ開口部の両側に、二枚目以下の紙片が引き出されるのを押さえるためのストッパ部を設けた紙片ケースが提案されている。
【０００６】
【特許文献１】
特開２０００−３５５３８１
【０００７】
しかしながら、このように取出口にストッパ部を設けてしまうと、従来の札入れ状ケースのように、紙葉の積層束を取出口からケース内に収納することができない。
例えば脂取り紙や眼鏡拭き紙等のように、取り扱い性が悪くて、しわが生じ易い紙葉は、その積層束をどのようにしてケース内に収納するかが製造上の重要な技術的課題であるにもかかわらず、上記特許文献１には、紙片の積層束をケース内に収納するための構成や方法についての記載は全く無い。
【０００８】
本発明は前記事情に鑑みてなされたもので、薄い紙葉の積層束を容易に収納することができ、かつ使用時には一枚ずつ取り出すことができるようにした収納ケース、および該収納ケースを用いた収納製品を提供することを目的とする。
【０００９】
【課題を解決するための手段】
前記課題を解決するために本発明の収納ケースは、多数枚の紙葉を積層してなる積層束を収納する収納ケースであって、該収納ケースは、第１のシート状部材と第２のシート状部材とを貼り合わせてなる略方形袋状の収納部を備えており、該収納部の周囲４辺のうちの１辺において、前記第１のシート状部材の縁部に凹状の切欠き部からなる取出口が設けられるとともに、該１辺の前記取出口を除く両端部には前記第１のシート状部材と第２のシート状部材とが接合されたストッパ部が設けられており、かつ前記第１のシート状部材および第２のシート状部材のいずれか一方に前記積層束を挿入可能なスリットが設けられていることを特徴とする。
【００１０】
前記スリットが前記第１のシート状部材に形成されており、前記第２のシート状部材は前記取出口の外側に向かう方向に、前記第１のシート状部材よりも延在して蓋部を形成するとともに、前記蓋部を前記取出口を覆うように折り返したときに、前記蓋部の先端部が前記スリットに差し込み可能に形成されていることが好ましい。
前記第１のシート状部材および第２のシート状部材がヒートシール可能な材料からなっており、前記収納部は前記第１のシート状部材と第２のシート状部材とをヒートシールにより貼り合わせて形成されており、かつ前記ストッパ部は前記第１のシート状部材と第２のシート状部材とをヒートシールにより接合して形成されていることが好ましい。
【００１１】
また本発明は、本発明の収納ケースの、前記収納部内に、多数枚の紙葉を積層してなる積層束を収納してなる収納製品を提供する。
前記積層束が、略方形のガイド体に収容された状態で前記収納部に収納されており、前記ガイド体は、前記積層束を挟む第１のガイド片と第２のガイド片を備えており、該ガイド体の周囲４辺のうちの１辺において、前記第１のガイド片の縁部に凹状の切欠き部からなる取出口が設けられるとともに、該１辺の前記取出口を除く両端部には前記第１のガイド片と第２のガイド片とが接合されたストッパ部が設けられており、該ガイド体が前記収納部内に、該ガイド体の取出口と前記収納部の取出口とが重なるように収納されていることが好ましい。
【００１２】
【発明の実施の形態】
以下、本発明を詳しく説明する。図１は本発明の収納製品の一実施形態を示す斜視図である。図中符号１は収納ケースを示し、１１は収納ケースの収納部、１２は蓋部をそれぞれ示す。本実施形態の収納製品は、多数枚の紙葉３ａを積層してなる積層束３がガイド体２に収容された状態で、収納ケース１の収納部１１内に収納されて概略構成されている。
本実施形態において、積層束３を構成している紙葉３ａは長方形の脂取り紙である。ガイド体２は紙葉３ａよりも若干大きい略長方形に形成されており、収納部はガイド体２よりも若干大きい略長方形に形成されている。
【００１３】
図２は収納ケース１の平面図である。収納ケース１は、第１のシート状部材１３と第２のシート状部材１４からなっている。
第１のシート状部材１３および第２のシート状部材１４はヒートシール可能な材料で構成されている。かかる材料の具体例としては、塩化ビニル、オレフィン系樹脂、その他の熱可塑性樹脂等が挙げられ、具体例としては、酢酸ビニル、ポリエチレン、ポリプロピレン、ＥＶＡなどが挙げられる。
第１のシート部材１３の周囲４辺のうちの１辺の中央部には取出口１５となる略三角形の切欠き部が形成されている。また第１のシート部材１３には前記取出口１５と対向する側の辺１６ｂの近傍に、該辺１６ｂと平行な直線状のスリット１７が形成されている。
第２のシート状部材１４は、第１のシート状部材１３と同幅で、長さが第１のシート状部材１３よりも長い帯状に形成されている。第２のシート状部材１４の長さ方向における一端部１４ａが収納部１３の一面を構成しており、他端部１４ｂが蓋部１２を構成している。また他端部１４ｂ（蓋部１２）の先端部は、先端に向かって幅が漸次縮小するテーパ状に形成されている。
【００１４】
第１のシート状部材１３は、第２のシート状部材１４の一端部１４ａ上に、取出口１５が第２のシート部材１４の蓋部１２（他端部１４ｂ）に隣接するように重ね合わされている。そして第１のシート状部材１３の、取出口１５が設けられている辺を除く３辺１６ａ、１６ｂ、１６ｃの全長にわたって、第１のシート状部材１３と第２のシート状部材１４の縁部どうしがヒートシールにより貼り合わされている。また、第１のシート状部材１３の、取出口１５が設けられている辺においては、取出口１５の両側の縁部が、それぞれヒートシールにより第２のシート状部材１４に接合一体化されており、その接合部がストッパ部１８，１８となっている。
ヒートシールによって接合された３辺１６ａ、１６ｂ、１６ｃおよびストッパ部１８、１８で囲まれた略方形の袋状の部分が、積層束３を収納するための収納部１１となっている。
【００１５】
紙葉３ａの長辺の長さをＸ、短辺の長さをＹとし、収納部１１の長辺の長さＡ１を（Ｘ＋ａ）で表すと、該ａは、取出口１５の深さＣ１よりも小さく設定され、好ましくは５〜１５ｍｍ程とされる。該ａが小さ過ぎると積層束３を収納部１１内に挿入させ難くなり、大きいほど収納部１１内で積層束３が移動する幅が大きくなるので、取出口１５内において露出される積層束３の面積の変動幅が大きくなるほか、積層束３を構成している紙葉３ａの積層状態が乱れやすくなる。ａがＣ１よりも大きいと、収納部１１内において積層束３が取出口１５から遠ざかる方向に移動した場合に、取出口１５内で積層束３が露出しなくなり、紙葉３ａを取り出すのが困難となるので好ましくない。
一方、収納部１１の短辺の長さＢ１を（Ｙ＋ｂ）で表すと、ｂは１０〜２０ｍｍ程度に好ましく設定される。該ｂが小さ過ぎると積層束３を収納部１１内に挿入させ難くなり、大きいほど収納部１１内において積層束３を構成している紙葉３ａの積層状態が乱れやすくなる。
例えば、本実施形態における紙葉３ａは、長辺の長さＸが１００ｍｍ、短辺の長さＹが７０ｍｍであり、収納部１１の長辺の長さＡ１が１１５ｍｍ、短辺の長さＢ１が８０ｍｍとなっている。
【００１６】
取出口１５の深さＣ１および幅Ｃ２は、取出口１５内で露出している積層束３の最上の紙葉３ａに指を乗せて、該紙葉３ａを引き出す方向へスライドさせることができる程度の大きさとされる。
取出口１５の幅Ｃ２は、小さすぎると紙葉３ａを引き出し難く、大きくするほとストッパ部１８，１８の長さが短くなる。ストッパ部１８の長さが短か過ぎると、最上の紙葉３ａが引き出される際に、ストッパ部１８がその下層の紙葉３ａを押さえて引き出されないようにする効果が十分に得られなくなる。したがって、幅Ｃ２は紙葉３ａの短辺の長さＹの８０〜９０％程度とするのが好ましい。
また、取出口１５の深さＣ１は、小さすぎると紙葉３ａを引き出し難く、大きすぎると保管中に取出口１５に露出している紙葉３ａが外力の影響を受け易くなるので、紙葉３ａにしわが生じたり、積層束３の積層状態が乱れたりするおそれがある。したがって、深さＣ１は２５〜３５ｍｍ程度とするのが好ましい。
本実施形態において、取出口１５の深さＣ１は３０ｍｍ、幅Ｃ２は６０ｍｍに形成されている。
【００１７】
ヒートシールによって接合されたストッパ部１８、１８における接合部の幅Ｄ１、および３辺１６ａ、１６ｂ、１６ｃにおける接合部の幅Ｄ２は、特に限定されないが、小さすぎると接合強度が不十分となるおそれがあり、必要以上に大きくすることは収納製品のコンパクト化の点で好ましくない。したがって、接合部の幅Ｄ１およびＤ２は２〜４ｍｍ程度が好ましい。本実施形態ではＤ１およびＤ２のいずれも２．５ｍｍに形成されている。
【００１８】
スリット１７の長さは、積層束３を収納部１１内に挿入可能であればよい。本実施形態では、後述するように、積層束３がガイド体２に収容された状態で、スリット１７から収納部１１内に挿入されるので、スリット１７の長さはガイド体２の幅（短辺の長さ）Ｂ２よりも大きくする必要がある。また、該スリット１７の両端がこれに近接する２辺１６ａ、１６ｃの接合部に達すると、接合部の強度が損なわれるおそれがあるので、スリット１７の長さは収納部１１の短辺の長さＢ１よりも小さくすることが好ましい。スリット１７の長さと、収納部１１の短辺の長さＢ１との差は約４ｍｍ以上が好ましく、４〜１０ｍｍ程度がより好ましい。本実施形態においてスリット１７の長さは７５ｍｍに形成されている。
【００１９】
また、ストッパ部１８からスリット１７までの距離Ｅは、スリット１７からガイド体２を挿入して収納部１１内に収納させることができ、かつ該スリット１７からガイド体２がはみ出ないように設定される。本実施形態では、Ｅはガイド体２の長さ（長辺の長さ）Ａ３よりも若干小さく形成され、好ましくは紙葉３ａの長辺の長さＸと同じ長さとされる。
本実施形態において上記Ｅは１００ｍｍに形成されている。
【００２０】
蓋部１２の長辺方向の長さＡ２は、前記ストッパ部１８の接合部の幅Ｄ１とスリット部までの長さＥの合計（Ｄ１＋Ｅ）よりも大きく設定される。Ａ２が（Ｄ１＋Ｅ）以下であると、蓋部１２の先端部をスリット１７に差し込むことができない。また前記Ａ２は、前記Ｄ１と、収納部の長さＡ１の合計（Ｄ１＋Ａ１）以下とされる。Ａ１が（Ｄ１＋Ａ１）より大きいと収納部１１よりも蓋部１２の方が大きくなるので、蓋部１２の先端部をスリット１７に差し込んだときに、蓋部１２にゆるみが生じてしまう。本実施形態において上記Ａ２は１１０ｍｍに形成されている。
【００２１】
蓋部１２の先端部の形状は、蓋部１２が取出口１５を覆うように、ストッパ部１８の外側で折り返したときに、該蓋部１２の先端部がスリット１７に容易に差し込める形状であればよい。蓋部１２の先端の幅Ｂ２は、大きすぎると蓋部１２をスリット１７に差込み難くなり、小さいほど蓋部１２を閉じた状態で、蓋部１２の先端がスリット１７の長さ方向に移動する幅が大きくなり、収納製品の形状が安定しなくなる。
例えば図６に示すように、蓋部１２の先端部をスリット１７に差し込んだ状態で、スリット１７の両端部における、蓋部１２と接していない部分の長さＦ１、Ｆ２の合計（Ｆ１＋Ｆ２）が２〜５ｍｍ程度となることが好ましい。
本実施形態においては、蓋部１２の先端の幅Ｂ２が７０ｍｍで、かつ前記（Ｆ１＋Ｆ２）が約２．５ｍｍとなるように設計されている。
【００２２】
図３はガイド体２を示す斜視図である。ガイド体２は、第１のガイド片２１と第２のガイド片２２からなっている。第１のガイド片２１および第２のガイド片２２は、薄くて、収納製品の使用中に容易に折れたり曲がったりしない程度の剛性を有する材料で構成することが好ましい。かかる材料の具体例としては、坪量４０〜１８０ｇ／ｍ２程度の厚紙のほか、樹脂シート等も用いることができる。
【００２３】
第１のガイド片２１は紙葉３ａよりも若干大きく、前記収納ケース１の収納部１１よりも若干小さい略長方形に形成されており、周囲４辺のうちの１辺の中央部には取出口２５となる略三角形の切欠き部が形成されている。該取出口２５は、図１に示すように、該ガイド体２を収納ケース１の収納部１１内に収納した状態で、収納部１１の取出口１５と略重なる位置に形成され、収納部１１の取出口１５と同じ形状、同じ大きさに形成されている。
第２のガイド片２２は、第１のガイド片２１と同幅で、長さが第１のガイド片２１よりも短い略四角形に形成されている。
【００２４】
第１のガイド片２１の前記取出口２５が設けられている辺の両端部において、第１のガイド片２１と第２のガイド片２２とは一体的に接合されており、この接合部がストッパ部２８、２８となっている。
具体的には、本実施形態において、第１のガイド片２１と第２のガイド片２２とは、連続した１枚の厚紙からなっており、前記ストッパ部２８、２８を折り山として第１のガイド片２１と第２のガイド片２２とが重なるように折り返すことにより、ガイド体２が形成されている。
【００２５】
第１のガイド片２１の長辺の長さＡ３は、前記収納ケース１におけるストッパ部１８からスリット１７までの距離Ｅよりも長く、収納部１１の長辺の長さＡ１よりも短い範囲内に設定される。好ましくはＡ３とＥとの差（Ａ３−Ｅ）が２〜１０ｍｍ程度となるように設計するのが好ましい。該（Ａ３−Ｅ）の値が小さすぎると、スリット１７からガイド体２がはみ出し易くなる。また、（Ａ３−Ｅ）が大きすぎると収納部１１内にガイド体２を挿入するのが難しくなる。
一方、第１のガイド片２１の短辺の長さＢ３は、紙葉３ａの短辺の長さＹよりも大きく、かつスリット１７の長さよりも１〜１０ｍｍ程度小さくするのが好ましい。
第２のガイド片２２の長さＡ４は、第１のガイド片２１の長さＡ３以下で、該第１のガイド片２１と第２のガイド片２２との間に積層束３を、該積層束３の積層状態が容易に乱れないように保持することができる程度の大きさであればよい。例えば、Ａ４はＡ３の２０〜９０％程度に好ましく形成することができる。
本実施形態において、第１のガイド片２１の長辺の長さＡ３は１１５ｍｍに形成されており、第１のガイド片２１の短辺の長さＢ３は７０ｍｍに形成されている。また、第２のガイド片２２の長さＡ４は３５〜５０ｍｍ程度に形成されている。
【００２６】
本実施形態の収納製品は、例えば次のようにして製造することができる。
まず、図４に例示するように、紙葉３ａの積層束３を、ガイド体２の第１のガイド片２１と第２のガイド片２２との間に挟んで収容した後、該ガイド体２を収納ケース１のスリット１７から収納部１１内に挿入して収納する。ガイド体２をスリット１７から挿入する際には、取出口２５を先に挿入し、かつ第１のガイド片２１の取出口２５と第１のシート状部材１３の取出口１５とが重なり合う向きとする。
【００２７】
そして、図１に示すように、収納部１１内にガイド体２を収納し終えたら、図５に示すように蓋部１２を折り返して取出口１５を覆い、次いで図６に示すように、蓋部１２の先端部をスリット１７に差し込んで、収納製品の保管時の形態とする。
このような収納製品を使用する際は、図７に示すように、まず蓋部１２の先端部をスリット１７から抜き、蓋部１２を開けて取出口１５を開放する。次いで、収納部１１の取出口１５において露出している積層束３に指をのせて蓋部１２側へスライドさせることにより、最上の紙葉３ａを１枚だけ引き出す。このとき、最上の紙葉３ａ以外の紙葉３ａは、最上の紙葉３ａと同じ引き出し方向へ移動しようとするが、ストッパ部１８，１８，２８，２８で押さえられるので引き出されない。
なお、収納製品において、第１のガイド片２１の取出口２５と第１のシート状部材１３の取出口１５とが完全に重なり合う必要はなく、ガイド体２内の紙葉３ａをこれら２重の取出口２５，１５を通って外部に引き出すことができる程度に重なっていればよい。
【００２８】
本実施形態の収納ケース１は、積層束３を収納する収納部１１が、２枚のシート状部材１３，１４の縁部どうしを貼り合わせてなる扁平な袋状であるので、薄型であり、携帯に便利である。また、収納部１１には取出口１５が開口しており、取出口１５の両側にはストッパ部１８が設けられているので、非常に薄い紙葉３ａであっても、１枚ずつ、容易かつ確実に取り出すことができる。
また、第１のシート状部材１３にスリット１７が設けられているので、積層束３を収納部１１内に容易に挿入することができる。さらに、スリット１７は収納部１１の端縁でなく面に設けられており、かつ直線状に形成されているので、積層束３を収納部１１内に収納した後、特にスリット１７を閉じる操作をしなくても、該スリット１７から積層束３やガイド体２が脱落したり、はみ出したりするのが防止される。
【００２９】
また、収納部１１の周囲４辺のうち、取出口１５が設けられている側の１辺の外側に蓋部１２を設けるとともに、その１辺と平行にスリット１７を設けたことにより、製造時には積層束３を収納するための挿入口として使用したスリット１７を、保管時には蓋部１２の先端部を差し込んで、蓋部１２を固定する手段として用いることができる。
また、第１のシート状部材１３および第２のシート状部材１４がヒートシール可能な材料からなっているので、収納部１１の縁部およびストッパ部１８において第１のシート状部材１３と第２のシート状部材１４とをヒートシールにより接合することができ、製造が容易である。
【００３０】
積層束３はガイド体２に収容された状態で収納部１１内に挿入されるので、積層束３をそのまま挿入する場合よりも簡単に、かつ確実に収納部１１内に収納させることができる。また、ガイド体２は、第１のガイド片２１と第２のガイド片２２とが、ストッパ部２８でのみ一体化された形状となっているので、積層束３を挟んで収容する操作が非常に簡単である。しかもガイド体２を収納部１１内に挿入する方向において、ガイド体２の前方がストッパ部２８によって閉じられており、後方が大きく開閉する形状となっているので、これによりスリット１７からガイド体２をスムーズにかつ確実に挿入し易く、かつ完全に挿入し終えた後は、ガイド体２がスリット１７から脱落するのが効果的に防止される。
さらに、ガイド体２にも取出口２５とストッパ部２８が設けられているので、ガイド体２が収納部１１に収納された状態で、ストッパ部１８，１８，２８，２８が二重壁構造になっている。したがって、ストッパ部１８，１８，２８，２８の強度に優れるとともに、積層束３の最上の紙葉３ａが引き出される際に、それより下層の紙葉３ａを押さえる効果が高い。
【００３１】
なお、上記の実施形態では紙葉３ａの例として脂取り紙を挙げたが、これに限らず眼鏡拭き紙、口紅おさえ紙、汗取りシート、紙おしろいなど、薄くて、１枚ずつ取り出して使用するタイプの種々の紙葉を適用することができる。
また上記第１のシート状部材１３と第２のシート状部材１４とは、互いに別体のシート状材料を用いてもよいが、両者が予め一体的に成形されているシート状部材を用いてもよい。
【００３２】
また、第１のシート状部材１３と第２のシート状部材１４との、縁部どうしの接合部やストッパ部１８にヒートシールを施す他に、剛性の向上等を目的として適宜の部位に加熱処理を施してもよい。例えば本実施形態では、蓋部１２の周縁部や、スリット１７の周辺部に対して、ヒートシールと同様の加熱処理が施されている。
【００３３】
さらに、第１のシート状部材１３と第２のシート状部材１４とを貼り合わせる手段はヒートシールに限らず、適宜の接合手段を用いることが可能である。また用いる接合手段に応じて、第１のシート状部材１３および第２のシート状部材１４の材質を適宜変更することが好ましい。
【００３４】
取出口１５、２５となる切欠部の形状は、切り欠いた部分に指をのせてスライドさせることができる凹状であればよく、適宜の形状に変更である。
またガイド体２の形状は、積層束３を扁平な形状で保持できるものであればよく、本実施形態の形状以外に、例えば周縁の２辺が接合された形状や、３辺が接合された袋状など、適宜の形状とすることが可能である。
さらに、ガイド体２を用いずに、紙葉３ａの積層束３を、直接、スリット１７から収納部１１内へ収納する構成としてもよい。
【００３５】
【発明の効果】
以上説明したように本発明によれば、薄い紙葉の積層束を容易に収納することができ、かつ使用時には一枚ずつ取り出すことができる収納ケース、および該収納ケースに紙葉の積層束を収納してなる収納製品が得られる。
【図面の簡単な説明】
【図１】本発明の実施形態における収納製品を示す斜視図である。
【図２】本発明の実施形態における収納ケースを示す平面図である。
【図３】本発明の実施形態におけるガイド体を示す斜視図である。
【図４】本発明の実施形態においてガイド体を収納ケースに挿入する状態を示す斜視図である。
【図５】本発明の実施形態において収納ケースの蓋体を閉じた状態を示す平面図である。
【図６】本発明の実施形態において収納ケースの蓋体の先端部をスリットに差し込んだ状態を示す平面図である。
【図７】本発明の実施形態における使用状態を示す説明図である。
【符号の説明】
１…収納ケース、２…ガイド体、３…積層束、３ａ…紙葉、１１…収納部、
１２…蓋部、１３…第１のシート状部材、１４…第２のシート状部材、
１５…取出口、１７…スリット、１８…ストッパ部、
２１…第１のガイド片、２２…第２のガイド片、
２５…取出口、２８…ストッパ部。
【図１】
2004244055.tif 000003
【図２】
2004244055.tif 000004
【図３】
2004244055.tif 000005
【図４】
2004244055.tif 000006
【図５】
2004244055.tif 000007
【図６】
2004244055.tif 000008
【図７】
2004244055.tif 000009